(57)【要約】      （修正有）【課題】電気工事や建築工事に指矩を携行するに際し、指矩が腰袋から脱落することなく、指矩使用時に片手でも容易に指矩を取り出せ、かつ長期間の使用に際しても破損することがない腰袋を提供する。【解決手段】腰袋の適当な箇所に１箇所、または横に並列に２箇所の指矩挿入用角穴７を設けて指矩８を装着する。【選択図】図５
0003214122.tif 000002
【実用新案登録請求の範囲】
【請求項１】
腰ベルトに装着して使用される腰袋であって、その前面の適当な箇所に１箇所、または横に並列に複数の指矩挿入用角穴を設けた腰袋。
【請求項２】
上記指矩挿入用角穴の寸法が縦３０〜４０ｍｍ、横５〜１５ｍｍであることを特徴とする請求項１に記載の腰袋。
【請求項３】
上記の指矩挿入用角穴を横に並列に２箇所設ける際の両穴中心の間隔が、３０〜１００ｍｍであることを特徴とする請求項１または２に記載の腰袋。
【考案の詳細な説明】
【技術分野】
【０００１】
本考案は、建築工事や電気工事等の際に必要な工具、特に指矩を収納するケースに関するものであって、特に作業者の腰ベルトに装着して使用される腰袋あるいは工具類収納袋に関する。
【背景技術】
【０００２】
従来より電気工事や建築工事に従事する作業者は、必要な工具類を図１に示すような工事用腰袋に収納して現場に携行し、該腰袋を腰ベルト等に装着して作業を行うことが多い。
【０００３】
図１は公知の腰袋の正面図、図２は側面図である。腰袋には主要収納ポケット４以外に、図中の１および２で示すような、多種多様な工具を全て収納するための大小のポケットが設けられており、作業性を考慮すると腰袋の大きさは通常縦、横３０ｃｍ以下である。
【０００４】
腰袋上縁部３は裏側に向けて折り返されており、図２に示すように裏面５にリベット止めされている。６は折り返された上縁部３と裏面５で形成されたベルト通し穴である。
【０００５】
上記腰袋を用いれば作業に必要な工具をほとんど現場に携行できるのであるが、指矩（さしがね）を収納できないという問題があった。
【０００６】
指矩は指金、差金、曲尺とも表記される工具で、ステンレスや鋼、真鍮などの金属製で目盛りがついており、材木などの長さや直角を測ったり、勾配を出したりするのに使われる。長さは通常長手が１尺６寸（４８ｃｍ）、短手が８寸（２４ｃｍ）、幅は５分（１５．１ｍｍ）である。
従って、指矩を腰袋に収納することは寸法上不可能であった。
【０００７】
指矩は特に建築工事においては必ず使用される重要な工具であるが、上記の理由から腰袋に収納できず、腰ベルトに直接挿す、あるいは図２の６で示されたベルト通し穴に挿入するなどの方法で現場に携行されるのが常であった。
【０００８】
しかし、指矩を腰ベルトまたはベルト通し穴に挿入して携行すると作業中に曲がってしまい、計測作業に支障が出るという問題があった。また、高所作業中に指矩が腰ベルトから抜けて落下することがあり非常に危険であった。
【０００９】
そのような不具合を解消するために、特許文献１には、腰袋と作業用ベルトの間に差し込む為の固定用の板を設け付属のベルトで腰袋に固定し、その板と約４５度角の指矩差しを蝶番で接続し、指矩差しの頭部には市販の道具差しを取り付けるための具を設け、腰袋に収納しきれない指矩を、裏面にクリップを備えた小型の工具収納袋に収納してベルトまたは腰袋に装着する方法が発案されている。
【先行技術文献】
【特許文献】
【００１０】
【特許文献１】特開２０１６−１６８６６５号公報
【考案の概要】
【考案が解決しようとする課題】
【００１１】
しかしながら、特許文献１に開示された方法は、指矩を腰袋に固定する手間がかかる上、指矩を取り出す際に両手を用いなければならないという問題があった。さらに、蝶番を用いているため破損したり錆びついたりするため長期間使用できないという不具合があった。
【００１２】
本考案は、上記問題点を解決することを課題としており、指矩の携行に際して腰袋から脱落することなく、指矩使用時に片手でも容易に指矩を取り出せ、かつ長期間の使用に際しても破損することのない指矩収納手段を備えた腰袋を提供することを目的としている。
【課題を解決するための手段】
【００１３】
本考案は、指矩を脱着できる腰袋であって、腰袋そのものに指矩装着手段を備えることによって、該指矩が腰袋から脱落することなく、かつ指矩脱着が容易であり、かつ長期間使用しても破損することのない構造であることを特徴とする。
【００１４】
すなわち、本考案は、腰袋の適当な箇所に１箇所、または横に並列に複数の縦３０〜４０ｍｍ、横５〜１５ｍｍの指矩挿入用角穴を設けた構造である。
【００１５】
上記適当な箇所とは、腰袋前面であって、装着された指矩が指矩以外の工具の出し入れの妨げにならない位置であればよく、特に制限はなく、その位置によって効果が変わることはない。
【００１６】
本考案における指矩挿入用角穴の寸法は縦３０〜４０ｍｍ、横５〜１５ｍｍであることが好ましい。縦寸法が３０ｍｍ以下だと通常の２０ｍｍ幅の指矩の挿入が困難であり好ましくない。縦寸法が４０ｍｍ以上の場合、指矩が安定せず落下する場合がある。また、横寸法が５ｍｍ以下の場合指矩の挿入が困難で、１５ｍｍ以上では穴の位置が限定されてしまうので好ましくない。
【００１７】
さらに、本考案において腰袋の適当な箇所に指矩挿入用角穴を横に並列に２箇所設ける際の両穴中心の間隔は、３０〜１００ｍｍであることが好ましい。間隔が３０ｍｍ以下または１００ｍｍ以上の場合、指矩の挿入が困難であるため好ましくない。
【００１８】
本考案の腰袋に指矩を挿入する方法は、穴を２個並列させた構造おいては、右腰に腰袋を装着している場合は指矩の長手を右の穴から挿入して左の穴から抜き、右腰に腰袋を装着している場合はその逆になる。腰ベルト用穴の前面に穴を１箇所設けた構造においては、指矩の長手を右の穴から挿入して腰ベルト用穴から抜くことができる。
【考案の効果】
【００１９】
本考案の腰袋に指矩を装着することにより、指矩の携行に際して腰袋から脱落することなく、指矩使用時に片手でも容易に指矩を取り出せ、かつ長期間の使用に際しても破損することがない。
【図面の簡単な説明】
【００２０】
【図１】図１は、通常用いられる腰袋の正面図である。
【図２】図２は、通常用いられる腰袋の側面図である。
【図３】図３は、本考案の第１の実施形態における腰袋の正面図である。
【図４】図４は、本考案の第１の実施形態における腰袋の側面図である。
【図５】図５は、本考案の第１の実施形態において腰袋に指矩を装着した状態を示す図である。
【図６】図６は、本考案の第２の実施形態における腰袋の正面図である。
【図７】図７は、本考案の第２の実施形態において腰袋に指矩を装着した状態を示す図である。
【図８】図８は、第２の実施形態に用いる皮革帯９の図である。
【図９】図９は本考案の腰袋に指矩を装着して携行する方法の図である。
【考案を実施するための形態】
【００２１】
以下、本考案の実施の形態を図に基づいて詳細に説明する。
【実施例】
【００２２】
（第１の実施形態）
本考案の第１の実施形態について、図３、図４ および図５に基づいて説明する。
【００２３】
図３は、前面上部に横に７０ｍｍの間隔で並列に２箇所の縦４０ｍｍ、横１０ｍｍの指矩挿入用角穴７を設けた腰袋の構造を示す図である。腰袋には主要収納ポケット４以外に、図中の１および２で示すような、多種多様な工具を全て収納するための大小のポケットが設けられており、作業性を考慮すると腰袋の大きさは通常縦、横３０ｃｍ以下である。
【００２４】
図４に示すように、腰袋上縁部３は裏側に向けて折り返されており、裏面５にリベット止めされている。６は折り返された上縁部３と裏面５で形成されたベルト通し穴である。したがって、ベルト通し穴６の側面に指矩挿入用角穴７があいた形状になっている。
【００２５】
図５は本考案の第１の実施形態の使用態様を示す図である。腰袋上部の並列した指矩挿入用角穴７のうち、右側の穴から指矩８の長手を挿入し、左側の穴から抜き出して指矩８を収納している。別の使用態様としては、右側の穴から指矩８の長手を挿入し、そのままベルト通し穴６から抜き出してもよい。
【００２６】
本考案の第１の実施形態によれば、腰袋上部の並列した指矩挿入用角穴に指矩の長手を挿入するだけで指矩を収納することができ、指矩を使用する際にはそこから抜き出すだけでよい。したがって、建築工事作業において指矩の収納および取り出しが片手で行うことができる。また、指矩が腰袋はら落下することがなく安全に作業を行うことができる。さらに、本考案は皮革製の腰袋上部に指矩挿入用角穴をあけた構造であるため、破損したり錆びついたりすることがなく長期間の使用に耐える。
【００２７】
（第２の実施形態）
本考案の第２の実施形態について、図６、図７および図８に基づいて説明する。
【００２８】
本考案の第２の実施形態を図６に示す。第２の実施形態においては、腰袋前部のポケット２の前面に、図８で示された第１の実施形態と同様の寸法及び間隔で設けられた指矩挿入用角穴７を備えた皮革帯９を縫合によって取りつけることにより第１の実施形態と同様の効果が得られる。図７は本考案の第２の実施形態の使用態様を示す図である。図８は前記皮革帯９の図である。
【００２９】
実施形態１および２に関わらず、本考案の腰袋に指矩を装着して携行する状態を図９に示す。
【産業上の利用可能性】
【００３０】
本考案の腰袋を用いることにより、指矩の携行に際して、指矩が腰袋から脱落することなく、指矩使用時に片手でも容易に指矩を取り出せ、かつ長期間の使用に際しても破損することがないので、建築工事や電気工事に有用である。
【符号の説明】
【００３１】
１、２  ポケット
３  腰袋上縁部
４  主要収納ポケット
５  腰袋裏面
６  ベルト通し穴
７  指矩挿入用角穴
８  指矩
９  皮革帯
１０  腰ベルト
１１  腰袋
【図１】
0003214122.tif 000003
【図２】
0003214122.tif 000004
【図３】
0003214122.tif 000005
【図４】
0003214122.tif 000006
【図５】
0003214122.tif 000007
【図６】
0003214122.tif 000008
【図７】
0003214122.tif 000009
【図８】
0003214122.tif 000010
【図９】
0003214122.tif 000011